(57)【特許請求の範囲】
【請求項１】
内部構造体の表裏にパネル要素を設けたパネルを、ボルトを用いて被取付部材に取り付けるパネルの取付構造において、
前記被取付部材に、ボルトに締め付けられるめねじ孔を当該被取付部材と前記パネルとの取付面に対して傾けて設けるとともに、パネルの側端近傍に、当該めねじ孔に締め付け可能にボルトを挿入するためのボルト挿入部を設け、前記パネル要素を表裏に取り付けた状態で、当該ボルト挿入部から挿入されたボルトを前記めねじ孔に締め付けることによって前記被取付部材を引き寄せて取り付けるものとし、
前記めねじ孔を有するナットに突出片を設け、ボルトのねじ込み作用によって前記ナットを軸方向である斜め上方向に引き寄せた際に、この突出片に係り合わさる凹部を、前記パネル及び前記被取付部材の当該突出片に対応する位置にそれぞれ設け、
前記突出片における前記凹部に係り合わさる面を水平に設け、この突出片を被取付部材の側端面側から突出させて前記パネル及び前記被取付部材に設けた凹部にそれぞれ引っ掛けるようにしたことを特徴とするパネルの取付構造。
【請求項２】
パネルが、側枠部材と横枠部材とを具備した構造枠体の表裏にパネル要素を取り付けたものであって、前記被取付部材が、隣接するパネルの側枠部材もしくはコーナに設けられる支柱である請求項１記載のパネルの取付構造。
【請求項３】
パネルが、内部コアの表裏にパネル要素を取り付けたものであって、被取付部材が、前記パネルの端部もしくはコーナに設けられる支柱である請求項１又は２記載のパネルの取付構造。
【請求項４】
ボルト挿入部と、めねじ孔とが一の取付具に備えられたものであり、当該取付具をパネルおよび被取付部材それぞれに対向させて配設し、一方の取付具に設けたボルト挿入部から他方の取付具に設けためねじ孔にボルトを締め付ける請求１、２又は３記載のパネルの取付構造。
【発明の詳細な説明】
【０００１】
【発明の属する技術分野】
本発明は、オフィス等において複数のパネル同士を連結するために好適な取付構造に関するものである。
【０００２】
【従来の技術】
現在、オフィス等で使用されるパーテイションパネル等の構造としては、いわゆるブロックタイプと呼ばれるものと、一体型タイプと呼ばれる種類のタイプがある。ブロックタイプのものは、パネル本体の骨格を形成する側枠部材及び横枠材から構成される構造枠体と、この構造枠体の前後両面に取付けられるパネル要素とを具備してなるものである。一方、一体型タイプは、ペーパーハニカム等の内部コアの前後面にパネル面を形成する化粧面材を貼着して構成したものである。
【０００３】
そして、ブロックタイプのパネル同士を隣接する方向に取り付ける場合、パネル要素を外して隣接するパネル同士の対向する２つの側枠部材を貫通するねじ穴を設け、側枠部材の内側から挿入したボルトをこのねじ穴に貫通させて、ナット部材によって締め付けるのが一般的である。
【０００４】
また、一体型タイプのパネル同士を連結する場合には、隣接する２つのパネルの間に、独立した支柱を設け、この支柱を介した2つのパネルに跨るようにバックルや平板状の取付板を配置して、この取付板の複数箇所をを上方からビス留めして２つのパネル同士を取り付けるようにするものがある。
【０００５】
【発明が解決しようとする課題】
ところが、前述したようなブロックタイプのパネルにおいては、ひとつのパネルを隣接したパネルに取り付けようとすると、都度、表面に取り付けたパネル要素を構造枠体から取り外し、それから、その側枠部材の内側から取り付ける対象であるパネルの側枠部材に向かってボルトを挿入する作業を行わねばならないという不具合があった。
【０００６】
一方、一体型タイプのパネルにおいては、上記したようなバックルや取付板と、これらバックルや取付板に２枚のパネルおよび支柱をそれぞれ固定するための複数のビスとを必要とするため、部品点数が多くなってしまう。この結果、このような複数の部品の管理が面倒になり、また製造コストが高くなる。さらに取付作業においても、部品点数の数に対応して作業が増え、煩雑になるという不具合を生じる。
【０００７】
そこで、本発明は、上記課題に着目して、パネルを被取付部材に対して容易に取り付けできるようなパネルの取付構造を提供することを目的とする。
【０００８】
【課題を解決するための手段】
すなわち、パネルの外側から操作可能な場所、例えば笠木などを外せば、取り付けのための作業ができるような場所に、パネル要素を有する状態で取付操作できるような取付操作部を設け、すでに設置しているパネルの側枠部材や独立した支柱などの被取付部材を引き寄せてパネルを被取付部材に対して取り付けるものである。つまり本発明に係るパネルの取付構造は、内部構造体の表裏にパネル要素を設けたパネルを、ボルトを用いて被取付部材に取り付けるパネルの取付構造において、前記被取付部材に、ボルトに締め付けられるめねじ孔を当該被取付部材と前記パネルとの取付面に対して傾けて設けるとともに、パネルの側端近傍に、当該めねじ孔に締め付け可能にボルトを挿入するためのボルト挿入部を設け、前記パネル要素を表裏に取り付けた状態で、当該ボルト挿入部から挿入されたボルトを前記めねじ孔に締め付けることによって前記被取付部材を引き寄せて取り付けるものとし、前記めねじ孔を有するナットに突出片を設け、ボルトのねじ込み作用によって前記ナットを軸方向である斜め上方向に引き寄せた際に、この突出片に係り合わさる凹部を、前記パネル及び前記被取付部材の当該突出片に対応する位置にそれぞれ設け、前記突出片における前記凹部に係り合わさる面を水平に設け、この突出片を被取付部材の側端面側から突出させて前記パネル及び前記被取付部材に設けた凹部にそれぞれ引っ掛けるようにしたことを特徴とするものである。
【０００９】
このようなものに構成したので、パネル同士を隣接して取り付ける際に、すでに設置しているパネルの側枠部材や独立した支柱などの被取付部材に対して、さらにパネルを取り付けようとした場合、パネル要素を有する状態のまま、パネルの外側から取付作業をすることができるようになる。すなわち、従来のように、パネルからのパネルの取り外し作業やパネルの周辺に配置されていた家具類の移動作業などを行うことなく、パネルの取り付け作業のみを行えばよいようにできる。
【００１０】
【発明の実施の形態】
以下、本発明の一実施の形態を、図面を参照して説明する。
【００１１】
図1に示すパネル１は、いわゆるブロックタイプと呼ばれるパネルで、このパネル１の表裏面を形成するパネル要素２と、このパネル要素２を前後面に装着するための内部構造体たる構造枠体３とを具備してなるものである。なお隣接するパネル１’も同じ構造を有するものである。
【００１２】
パネル要素２は、板金製の板状部材の内面に芯材を充填してなる長方形状のもので、構造枠体３の略全域を覆うようにしている。これらのパネル要素２の内側には、合成樹脂製の図示しない爪部を設けて、この爪部を後述する構造枠体３の開口部６に嵌め込むことによって、当該構造枠体３に着脱可能に装着し得るようにしている。
【００１３】
構造枠体３は、左右の側端面４０を形成する２つの側枠部材４と、これらの側枠部材４に跨って水平方向に取り付けた複数の横枠部材５とから構成されている。この側枠部材４や横枠部材５は、断面を中空形状にした金属フレームによって成形したものであり、表裏面の適所にパネル要素２を嵌め合わせるための開口部６を複数設けている。
【００１４】
このように構成したパネル１を、本実施の形態においては、被取付部材たる隣接するパネル１’の側枠部材４’に取り付けるために、パネル１の側枠部材４および被取付部材である側枠部材４’それぞれに、パネル１の側端面４０に対し傾けて設けた内部ナット８１とボルト挿入口８２とを備えた取付具８を固定手段Ｆ（図４）によって固定し、さらにボルト７を２つの側枠部材４、４’に跨って挿入できるように側枠部材４、４’の側端面４０、４０’に開口部４１、４１’を設けている。そして、ボルト７をこれら二の取付具８の一方のボルト挿入口８２にパネル１の上方側から挿入し、それぞれの側枠部材４、４’に設けた開口部４１、４１’を通し、他方の取付具８内の内部ナット８１にねじ込むことによって取り付けるようにするとともに、規制手段Ｒを設けて上下方向のずれを防止するようにしている。
【００１５】
以下、各構成について図を参照して詳述する。図２は、取付具８の平面図（ａ）および側面図（ｂ）を示したもので、図３は、取付具８の外観斜視図を示したものである。また図４は、図１に示したパネル１を側枠部材４’に取り付けた場合の中央断面図を示したものである。なお、図面において、被取付部材たる側枠部材４’を有するパネル１’側に設けた部材、要素等には、符号番号に「’」をつけているが、その構造はパネル１に設けられたものと同様のものである。
【００１６】
取付具８は、取付具本体８０と、この取付具本体８０内に設けた内部ナット８１とを備えてなるものである。
【００１７】
この内部ナット８１は、二つの取付具８を対向させた場合に、一方のボルト挿入口８２から斜め下方に向けて挿入したボルト７に嵌まるめねじ孔８１ａを有する略円柱状のもので、取付具８内に側枠部材４の側端面４０に対して所定の角度（略４５度）斜め上方に傾けて配設したものである。
【００１８】
取付具本体８０は、その外観を側枠部材４に内接する大きさの略直方体に所定の角度（略４５度）を有する傾斜面８０ａ設けた略直方体のアルミダイキャスト製のもので、傾斜面８０ａに設けたボルト挿入口８２と、このボルト挿入口８２から対向する取付具８’の内部ナット８１’へボルト７を到達させるための案内孔８３と、ボルト７を一方のパネル１から隣接するパネル１’の側枠部材４’へ到達させるために側枠部材４に設けた開口部４１に対応させて設けた連通口８４、８４’と、内部ナット８１を取付面たる側枠部材４の側端面４０に向かって斜め上方へ移動可能に保持する内部ナット保持部８５とを備えたものである。
【００１９】
ボルト挿入口８２は、傾斜面８０ａ上に設けたもので、パネル１の上方側からこの傾斜面８０aに対して直交する向きである斜め下方へ、すなわち、側枠部材４に対して所定の角度（略４５度下向き）にボルト７を挿入するためのものである。
【００２０】
案内孔８３は、ボルト挿入口８２から連通口８４へボルト７を案内する第１の案内孔８３ａと、連通口８４’から内部ナット８１’へボルト７を案内する第２の案内孔８３ｂ’とからなるもので、これら第1の案内孔８３ａと第2の案内孔８３ｂ’とを、二つの取付具８を対向させてた場合に連続するように設けて、ボルト７をボルト挿入口８２から斜め下方に導くようにしたものである。
【００２１】
連通口８４は、第１の案内孔８３ａの当該取付具８の取付面側の開口部分と、第２の案内孔８３ｂの取付面側の開口部分とを兼ねさせるように縦長状の開口に形成したもので、隣設する側枠部材４、４’同士に跨ってボルト７を挿入できるようにしたものである。
【００２２】
内部ナット保持部８５は、内部ナット８１と略同径の保持孔８５ａを側枠部材４の側端面４０に対して所定の角度（略４５度）傾けて設けるとともに、その底面に内部ナット８１が下方にすべり落してしまうのを防止するために脱落防止部材８５ｂを配設したもので、その内部に内部ナット８１を所定の角度（略上向き４５度）に保ったまま移動可能に保持するためのものである。この脱落防止部材８５ｂは、弾性を有する樹脂によって内部ナット８１と接触させ内部ナット８１を保持するようにしたもので、取付面側およびその反対面側に設けた係り合い突部８５ｂ１および係り合い段部８５ｂ２を、それぞれ取付具本体８０の底面側近傍に設けた係り合い凹部８０ｂおよび８０ｃに係り合せることによって取り付けている。なお、この脱落防止部材８５ｂを、その弾性力によって着脱可能に設けて、内部ナット８１を取付具８内に配置させる場合に、この脱落防止部材８５ｂを外して内部ナット８１を取り付けるための空間を設けることができるようにしている。
【００２３】
以上のような取付具８を、側枠部材４の上端部に固定するための固定手段Ｆは取付本体８０の取付面側の上端部略中央位置に設けた凸部８０ｄを、側枠部材４の側端面４０の上端部に設けた凹部４２に嵌め込んで当該取付具８を位置決めし、取付具本体８０の側面に設けたねじ孔８０ｅに図示しないねじを締めることによって固定するようにしているものである。
【００２４】
また、側枠部材４の開口部４１は、側枠部材４の側端面４０上の、取付具８に設けた連通口８５に対応した位置に開口させたものであり、ボルト７を隣接する二つの側枠部材４、４’を跨って挿入可能にするためのものである。
【００２５】
また、規制手段Ｒは、内部ナット８１の取付面側の下方に設けた突出片８１ｂと、この突出片８１ｂを側端面から突出させた際にこの突出片８１ｂを引っ掛けるために対向する側枠部材４の側端面４０およびに取付具８に設けた凹部たるスリット部４Ｓ、８Ｓとからなるもので、ねじ作用によって内部ナット８１が側枠部材４の側端面４０側に引き寄せられた際に、側端面４０から突出する突出片８１ｂをスリット部８Ｓ、４Ｓに引っ掛けることによって、上下方向のずれを規制しているものである。なお、スリット部４Ｓおよびスリット部８Ｓには、側端面４０から突出片８１ｂを突出させるための開口部としての機能を兼ねさせるようにしている。
【００２６】
次にこのように構成した取付構造を採用して、パネル１を、隣接するパネル１’の側枠部材４’に取り付ける手順について述べる。
【００２７】
まず、取り付けたいパネル１の側枠部材４上端部に、取付具８を挿入して固定手段Ｆによって固定する。次に、パネル要素２をその図示しない爪部を開口部６に引っ掛けることによって構造枠体３に取り付ける。そして、パネル１の側枠部材４の側端面４０を、側枠部材４’の側端面４０’に隣り合わせるように配置する。そして、図１に示すように、パネル１、１’にパネル要素２、２’を取り付けた状態で、パネル１の取付具８のボルト挿入口８２に、上方側からボルト７を斜め下方に向けて挿入し、パネル１’の取付具８’の内部ナット８１’に対して締め付けるようにする。具体的には、図４に示すようにボルト７を、ボルト挿入口８２から、第１の案内孔８３ａ、連通口８４、側枠部材４の開口部４１を通し、続いて、側枠部材４’に設けた開口部４１’、取付具８’に設けた連通口８４’、第２の案内孔８３ｂ’を通して、取付具８’内の内部ナット８１’に到達させる。そして、ボルト７をこの内部ナット８１’にねじ込んでいき、この内部ナット８１’の突出片８１ｂ’を側枠部材４に設けたスリット部４Ｓおよび取付具８に設けたスリット部８Ｓに引っ掛る位置までボルト７の軸方向に引き寄せる。
【００２８】
また、このように上端部分を取り付けた後には、図示していないパネル１の下端部を側枠部材４’に対して取り付ける適宜の取付手段によって取り付けて、上端部側および下端部側ともにパネル１を側枠部材４’に取り付けるようにする。
【００２９】
以上、詳述したように本実施の形態における取付構造は、被取付部材たる側枠部材４’に、ボルト７に締め付けられる内部ナット８１’を設けるとともに、パネル１の側枠部材４の上端部にこの内部ナット８１’に締め付け可能にボルト７を挿入するためのボルト挿入部８２を設け、ボルト挿入部８２から挿入されたボルト７を内部ナット８１’に締め付けることによって取り付けるようにしたものなので、パネル１にパネル要素２を取り付けた状態のまま、パネル１を被取付部材たる隣接するパネル１’の側枠部材４’に取り付けることができる。
【００３０】
また、内部ナット８１、８１’を取付面たる側枠部材４、４’の側端面４０、４０’に対して所定の角度傾けて設けるとともに、この傾けて設けた内部ナット８１’に締め付け可能にボルト挿入口８２を設け、側端面４０に対してボルト７を斜めに取り付けるようにしたので、側端面４０を境界とするパネル１と１’とのねじれを防止することができる。
【００３１】
また、ボルト７を挿入する部材と、これに締め付けられるナットを有する部材とを兼用するようにしたので、１種類の取付具によって、パネル１を側枠部材４’に対して取り付けることを実現することができる。
【００３２】
また内部ナット８１に突出片８１ｂを設けるとともに、側枠部材４およびこの側枠部材４に固定した取付具８にこの突出片８１ｂを引っ掛けるスリット部４Ｓおよび８Ｓを設けたので、この突出片８１ｂを内部ナット８１のねじ作用によって側端面４０側から突出させて、このスリット部に引っ掛けることとによって、上下方向のずれを防止してパネル１を側枠部材４’に対して適正に取り付けることができる。
【００３３】
以上述べたような本実施の形態に限ることなく種々変形が可能である。
【００３４】
たとえば、上記実施の形態において被取付部材としてパネル１’の側枠部材４’を例に挙げて説明したが、これに限らずパネル１を取り付けるための取付面を４方向に設けた図５に示す支柱９を被取付部材としてもよい。この場合には、パネル側に取付具８固定し、図６に示すような突出片８ａ２を設けた内部ナット８ａ１を備えて構成した第２の取付具８ａを、この支柱９の取付面に取り付けて、この取付具８と、第２の取付具８ａとを用いて、パネル１を支柱９に取り付けるようにする。
【００３５】
具体的には、被取付部材たる支柱９の４方向の取付面側にスライド片９２と第２の取付具８ａを収納するためのＶ字状の凹部９３とを備えた保持部９０を設ける。一方、第２の取付具８ａをこの保持部９０に取り付けられるように、スライド片９２に嵌まる溝部８ａ７を設けるとともに、Ｖ字状の凹部９３に嵌まる形状に形成しする。しかして、この第２の取付具８ａを保持部９０によって支柱９の取付面に対して取り付け、この第２の取付部９内の内部ナット８ａ１に、パネル１側に固定した取付具８に設けたボルト挿入口８０から挿入したボルト７を締め付けることによって、支柱９をパネル１に引き寄せる。そしてこの引き寄せに伴って取付面から突出させた突出片８ａ２を、スリット部４Ｓおよびスリット部８Ｓに引っ掛ける規制手段Ｒ２によって上下方向へのずれを防止して、取り付けるようにする。
【００３６】
このように構成すれば、支柱９を介してパネル１同士を直交する向きに取り付ける際に、パネル要素２を取り付けた状態のまま外側からパネルの支柱９に対する取り付けを行うことができる。
【００３７】
また、本発明の比較例としては、ボルト７を挿入するためのボルト挿入部を、図７に示すようにパネル１における構造枠体３の角部の表出している部分に設けたボルト７を収納できる程度の凹溝１２と、この凹溝１２内に隣接するパネル１'の側枠部材４側に水平方向に挿入可能なボルト挿入口１３とからなるものに構成し、上方からこの凹溝１２にボルト７を入れて、そこから側枠部材４'に設けためねじ孔を有するナット１４に対し、水平方向にボルト７を締め付けるようにして側枠部材４'を取付面側に引き寄せてパネル１に取り付けるようにしたものが挙げられる。
【００３８】
また本発明の他の比較例として、図８から１０に示すような構成が挙げられる。図８は、この他の比較例における取付具１５によってパネル１を被取付部材たるパネル１'の側枠部材４'に取り付けた状態における側枠部材４、４'の上端近傍の要部正面図を示したものである。図９は、取付具１５の断面を示した図であり、図１０は、被取付部材たる側枠部材４'の正面図を示したものである。なお、被取付部材たる側枠部材４'に設けた部材、要素等には、その符号に「'」を付けている。
【００３９】
この他の比較例における取付構造は、パネル１の側枠部材４および被取付部材たる隣接するパネル１'の側枠部材４'内部の上端の開口近傍に、回転軸たるピンＰによって回転可能に保持されるバックル状の取付具１５、１５'をそれぞれ設けて、この取付具１５、１５'をそれぞれ隣接する側枠部材４'、４側に回転させ、この取付具１５、１５'を係り合い手段によって両側枠部材４，４'に跨るようにするとともに上下に位置させて、さらにねじ止めして取り付けるように構成したものである。すなわち、このような取付操作を行うための取付操作部たる空間Ｓを、側枠部材の上端部近傍付近に設けたものである。
【００４０】
具体的には、長孔状のピン保持孔１６ａを、側枠部材４の内部上端近傍に設け、このブラケット１６に設けたピン保持部１６ａにピンＰを保持させながら、取付具１５を側枠部材４の上方側に移動させて回転できるようにする。また、係り合い手段として、取付具１５の先端下方に突部１５ａを設け、この突部１５ａを側枠部材４から突出させられるように開口１７を設けるとともに、取付具１５を上下に位置させた場合に取付具１５に設けた突部１５ａが係り合う凹部１５ｂを取付具自身に設けて構成する。また、一方のねじ孔１５ｃ、１５ｄと、二つの取付具１５上下に位置させた場合に、他方のねじ孔１５ｄ’、１５ｃ’とを連続させるように設けて、上方から図示しないねじで、二つの取付具１５を一緒に留められるようにする。
【００４１】
そして、パネル１を隣接方向に接続する場合、パネル要素２を取り付けたままの状態で、まず、空間Ｓにパネルの上方から操作して、取付具１５をピン保持孔１６aにピンＰを保持させながら上方へ向かって移動させ、被取付部材たるパネル１’の側枠部材４’側に回転させ、パネル１’の開口１７’の下端に突部１５ａを引っ掛ける。そして、突部１５ａの傾斜部分１５ａ１をの開口１７’の下端に押し当てることによって、パネル１側に引き寄せるようにし、さらにパネル１’に設けた取付具１５’を取付具１５の上方に重なるように回転させて、その突部１５ａ’を下方に位置する取付具１５に設けた凹部１５ｂに係り合わせ、図示しないねじを締めることによって取り付けるようにする。
【００４２】
その他、各部の具体的構成についても本発明の趣旨を逸脱しない範囲で種々の変形が可能である。
【００４３】
【発明の効果】
すなわち、本発明は、パネル要素を有する状態で、被取付部材を引き寄せて取り付けられるようにしたので、パネル要素の取り外し作業が不要になり、より容易に取り付け作業を行うことができる。
【図面の簡単な説明】
【図１】本実施の形態における要部の外観斜視図。
【図２】同実施の形態における取付具の平面図および側面図。
【図３】同実施の形態における取付具の外観斜視図。
【図４】同実施の形態における取付構造の要部断面図。
【図５】第２の実施の形態における外観斜視図。
【図６】第２の実施の形態における第２の取付具の平面図および正面図。
【図７】本発明の比較例における外観斜視図。
【図８】本発明の他の比較例における正面図。
【図９】本発明の他の比較例における取付具の取付状態を示す図。
【図１０】本発明の他の比較例における側枠部材の要部の正面図。
【図１】
0004916062.tif 000002
【図２】
0004916062.tif 000003
【図３】
0004916062.tif 000004
【図４】
0004916062.tif 000005
【図５】
0004916062.tif 000006
【図６】
0004916062.tif 000007
【図７】
0004916062.tif 000008
【図８】
0004916062.tif 000009
【図９】
0004916062.tif 000010
【図１０】
0004916062.tif 000011